(57)【要約】【課題】救命気嚢収容構造を提供する。【解決手段】  救命気嚢収容構造は、主に固定手段上にボンベを具えた起動手段を枢接し、起動手段を引き動かすことによって、固定手段と起動手段の間に設けた制動装置のガイド軸前端が封止口を突き破ってから後退し、ボンベ内の高圧気体を迅速に気嚢に充満させる。固定手段の気嚢収容部はサイドで押さえて中央は開放型設計とし、気嚢の気体充填の展開性と確実性を向上させ、且つ折り畳み収納に便利にする。更に長さを調節できる締結部と安全クイックリリースバックルを結合した設計を採用し、使用に便利で且つ弾力性を具え、迅速な気体充填で確実な救命の目的を達成する。【選択図】  図  １
2006347435.tif 000002
【特許請求の範囲】
【請求項１】
救命気嚢収容構造であって、固定手段、気嚢およびボンベを具えて成り、
該固定手段の一端に起動手段を枢接し、起動手段にボンベを外付けし、起動手段内部に本体を設け、本体の一端はボンベと接続し、別の一端は気嚢に連絡し、本体から固定手段と起動手段との枢接箇所に更に制動装置を設け、
気嚢収容部を固定手段周辺に設けて気嚢を格納できるようにして成ることを特徴とする救命気嚢収容構造。
【請求項２】
気嚢収容部の中央は開放状態の開口部を呈して、周辺に収容部を形成するようにして成ることを特徴とする請求項１記載の救命気嚢収容構造。
【請求項３】
固定手段、起動手段、本体、ボンベおよび制動装置を具えて成り、固定手段は側辺で起動手段と接続および係合し、ボンベを起動手段内で本体に固接し、本体に気口収容部を設けて気嚢と接続し、制動装置の一端は連絡アームで固定手段と接続し、別の一端は導入軸でボンベ気口と接触するようにして成ることを特徴とする請求項１記載の救命気嚢収容構造。
【請求項４】
本体の気口収容部箇所の反対側に調整部を設け、調整部の上縁に締め付け部を設け、中段には別に貫通部を設け、底部の気口収容部に向かい合う箇所に調節部を設けて成ることを特徴とする請求項３記載の救命気嚢収容構造。
【請求項５】
固定手段の別の一端にベルトユニットを設けて気嚢収容部の両端を接合して環状に使用者の身体上に絞める形態にできるようにして成ることを特徴とする請求項１記載の救命気嚢収容構造。
【請求項６】
ベルトユニットは固定手段の両端に締結部を設けて相互に接続し、その内一つの締結部はバックルを結合し、別の一端の締結部は単面に歯を具えた結合部を延伸し、バックル中段に分割棒を具え、分割棒に隣接する両側に舌状で円形に突出した形態の固定部を設けて成ることを特徴とする請求項５記載の救命気嚢収容構造。
【請求項７】
起動手段頂部に時計または方位磁針などの表示体の構造を配置して具えて成ることを特徴とする請求項１記載の救命気嚢収容構造。
【請求項８】
起動手段の最も外側に複合蓋を設け、複合蓋は表示体を収容する収容部を具え、また起動手段と弾性係合する結合部を設けて成ることを特徴とする請求項１記載の救命気嚢収容構造。
【発明の詳細な説明】
【技術分野】
【０００１】
本発明は救命気嚢収容構造に関し、特に気嚢を折り畳んで開放型の気嚢収容部に格納し、また、長さを調節できる締結部と組み合わせることによって、ボンベを引き動かすことで直接ボンベから気嚢への気体充填を起動でき、気嚢の気体充填の展開性を向上し、および締結部の弾力的使用と簡便性によりこの装置を腕や腰などといった箇所に絞めることができ、ひいては迅速な救命の目的を達成する救命気嚢収容構造に関する。
【背景技術】
【０００２】
現行の救命胴衣やその他救命器材は、体積が大きく、使用上非常に不便である。そこでその構造を小型化し、気嚢を一定空間内に収容する設計が採用された。その空間はほとんどが封止空間内に折り畳む形態を採っており、気体充填動作が起動されると、関連構造との組合せで気嚢充填が達成される。
【０００３】
上述の公知構造には不十分な点がいくつか見られるが、その主な原因は以下の通りである。
１． 気体充填構造が複雑でコストが高い。気体充填を起動する構造が複雑すぎ、これを小型化した結果、構造密度が高くなりすぎて生産と維持補修コストの増大を招いている。
２． 気嚢充填展開性が悪い。気嚢収容部を密閉設計としているため、気嚢の気体充填が完全に展開した状態になるまでの所要時間が長く、救命のゴールデンアワーが短くなる。
３． 形態が固定していて変化しにくい。公知の全体構造形態は固定であるため、使用時に実際の需要に応じて大きさを変化させることができず、人体工学上の対応が難しく応用弾力性に乏しい。
【発明の開示】
【発明が解決しようとする課題】
【０００４】
公知技術の欠点を解決し、救命器材の使用に際してより迅速に、起動の動作をより確実にした救命気嚢収容構造を提供することを課題とする。
【課題を解決するための手段】
【０００５】
本発明は救命気嚢収容構造を提供する。気嚢を起動する制動装置をボンベを装着した起動手段上に設け、使用者はボンベを直接引き動かした状態で気嚢に気体充填の作業を行うことができ、機能収容部を開放型に設けて気嚢の気体充填の展開性を向上し、締結部を時計ベルトに類似した長さを調節できる設計として大幅に本システムの応用弾力性を向上し、ひいては迅速確実な救命の効果を達成する。
【発明の効果】
【０００６】
本発明によって以下の改良が達成された。
１． 救命速度を大幅に向上した。気嚢収容部１１を半開放型設計としたことによって、気嚢５０に迅速に気体充填することができ、気嚢５０が急速に完全に展開できるため救命速度が大幅に向上する。
２． 気嚢５０の折り畳みが便利である。気嚢収容部１１を半開放型設計としたことによって、気嚢５０を使用後の折り畳み収納が大幅に便利になった。
３． 実用性が大幅に向上した。表示体８０と複合蓋８１の多様な組合せ設置により、全体の機能の付加価値が向上した。
【発明を実施するための最良の形態】
【０００７】
図１に示すように、本発明の主要構造は、固定手段１０を具え、固定手段１０の一端は起動手段２０と枢接し、別の一端は起動手段２０と弾性係合する。同時に図２、図３、図４に示すように、起動手段２０の中央箇所に本体３０を設け、本体３０上にボンベ４０と気嚢５０を設ける。気嚢５０は固定手段１０の気嚢収容部１１内に格納する。ボンベ５０の末端は起動手段２０の側端から露出し、使用者がボンベ４０を引き動かして起動手段２０と固定手段１０の枢接箇所を軸に回転するようにする。起動手段２０と固定手段１０のボンベ４０に対応した箇所に更に制動装置６０を設け、使用者がボンベ４０と起動手段２０を引き動かす時に同時に動作するようにする。固定手段１０底部箇所にベルトユニット７０を設けて人体上に固定して使用できるようにする。
【０００８】
固定手段１０は円弧形の構造体とし、その形状は人体工学に適合するカーブに設け、人体と接触する面とは別の面に、周辺に沿って一定の幅のＣ形ガード形状の気嚢収容部１１を設け、気嚢５０を折り畳んで格納するようにする。気嚢収容部１１中央の連続しない箇所に開放部１１０を形成し、両側および末端はＵ形開口が向かい合う収容部１１１を形成し、気嚢５０を折り畳んだ後の周辺部を押さえるようにする。固定手段１０は起動手段２０に対応した端部に突起片状の二つのアーム形態の枢接部１２を設け、枢軸１３で起動手段２０と枢接し、また枢接部１２のこの面をコ形の切り欠きに設けて、制動装置６０の作動空間にする。
【０００９】
固定手段１０は起動手段２０に向かい合う別の一端に直立片状の外向きに延伸した突起で且つ中央に貫通孔を具えた係合部１４を設け、起動手段２０にこれに対応して突出して係合する弾性係合部２１を設置し、固定手段１０と起動手段２０が相互に弾性係合できるようにする。
【００１０】
起動手段２０はボンベ４０と固定手段１０とともに中空蓋体を形成し、その一端に弾性係合部２１を設置して固定手段１０の係合部１４と弾性係合し、起動手段２０の別の一端は固定手段１０の枢接部１２と枢接し、且つ弾性係合部２１に近い端部の中央箇所に挿接部２２を設け、ボンベ４０を挿入して起動手段２０内の本体３０に接続できるようにする。
【００１１】
起動手段２０内部に本体３０を設置し、本体３０はボンベ４０の位置に対応して雌ネジを具えた開口形態の結合部３１を形成し、ボンベ４０の雄ネジを具えた結合部４１と結合して一体にできるようにする。ボンベ４０は結合部４１端部に気密封止口を設ける。本体３０を貫通して結合部３１の中央に気体導入部３２を設け、気体導入部３２の中段に垂直に雌ネジを具えた気口収容部３３と調整部３４を設け、気嚢５０の気口５１と調整部材３５をネジ接続できるようにする。調整部材３５は外ネジの調整部３５０を具え、調整部３５０の上縁にすりわりまたは十字穴形態の締め付け部３５１を設け、使用者が異なる工具を差し込んで回転できるようにし、調整部材３５が本体３０にねじ込まれる程度を変えられるようにする。調整部材３５の中段に開口形態の貫通部３５２を形成して制動装置６０の対応する部材が貫通するようにし、調整部材３５底部の気口収容部３３に向いた箇所に錘状の調節部３５３を設ける。気体導入部３２は同時に制動装置６０を挿入配置して動作することができる。
【００１２】
制動装置６０は主に連絡アーム６１とガイド軸６２を具える。連絡アーム６１の一端は固定手段１０の枢接部１２の二つのアームの間に配置して軸で枢接し、且つ連絡アーム６１の枢接箇所は起動手段２０の枢接の位置と同一ではなく、この位置のずれによって、起動手段２０が動作する過程で連絡アーム６１にずれが生じ、それに伴ってガイド軸６２にも位置のずれが生じ、ボンベ４０の封止口４１０を突き破ることができる。連絡アーム６１の別の一端はガイド軸６２の端部と枢接し、ガイド軸６２の別の一端は本体３０の気体導入部３２に挿入し、数個のパッキン形態の気密部６２１を設けて、導入部６２２と気体導入部３２の内径とが移動形態の気密効果を形成するようにし、またガイド軸６２の導入部６２２の、気体導入部３２内に挿入した端部に尖ったピン６２３を形成する。起動手段２０が引き動かされると、連絡アーム６１が移動して押され、ガイド軸６２を押し、ピン６２３がボンベ４０の封止口４１０を突き破ることができ、迅速な気体充填という高い実用性目的を達成する。
【００１３】
本発明は固定手段１０の気嚢収容部１１を半開放型の設計とし、気嚢５０は気口５１を具えるほか、気口５１の底部に気体充填袋体５２を接続し、気体充填袋体５２を折り畳んで半開放型の気嚢収容部１１の中に平らに押し込み、気体充填していない気体充填袋体５２は開放部１１０から気嚢収容部１１内に押し込んで、気体充填袋体５２を折り畳んだ後の周辺部は収容部１１１に抑えられて固定され、確実に格納される。
【００１４】
起動手段２０を引き起こすと、図３、図４、図５に示すように、気嚢５０が充填されると、気体充填袋体５２は開放部１１１箇所で直接気体充填され、収容部１１１に押さえ込まれていた周辺部が引き出され、最も急速な方法で且つ中央充填の方式で周辺の押さえ込まれていた部分を引き出すことができ、迅速気体充填が達成される。
【００１５】
また、固定手段１０の両端の締結部１５端部にベルトユニット７０を設け、一端の締結部１５は環状のバックル７１を結合し、別の一端の締結部１５は単面に歯を具えた結合部７２を一体に延伸する。バックル７１中段に分割棒７１０を具え、分割棒７１０に隣接した両側に舌状の円形突起形態の固定部７１１を設ける。結合部７２を分割棒７１０の別の面から通し、分割棒７１０の上へ回して固定部７１１の空間を通すと、結合部７２が挟持固定される。
【００１６】
実用の状況を考慮し、バックル７１の人体に近い面に柔軟な下敷き状ガード部材７３を分設してもよく、バックル７１と結合部７２を結合したときに使用者の手の皮膚やその他の部位を挟み傷つけるのを防止できる。
【００１７】
また、本発明を人体の各部位に絞めることができるようにするために、ベルトユニット７０は長さを弾力的に設計する必要があり、固定手段１０の両側の締結部１５箇所に、時計ベルトタイプの延長部材を枢接し、これによりベルトユニット７０の長さを人体の各部位に必要な長さに弾力的に調節できるようになり、大幅に救命の応用性を向上できる。
【００１８】
システム全体の重量軽減のため、固定手段１０中央の平板に数個の空洞部１６を設けてもよく、構造の支持性に影響せず、システムの携帯重量を軽減でき、救命の実用性をより向上できる。
【００１９】
起動手段２０頂部に必要に応じて異なる器材を組み合わせて使用でき、時計や方位磁針といった表示体８０を配置することができる。起動手段２０と表示体８０の最も外側に、更に複合蓋８１を設け、複合蓋８１は表示体８０を収容する収容部８１０のほか、起動手段２０と向かい合わせに弾性係合の結合部８１１を設け、異なる需要や外部が異なる設計形態の複合蓋８１を係合できるようにし、多様な外観視覚効果を作り出すことができる。
【図面の簡単な説明】
【００２０】
【図１】本発明の立体外観略図である。
【図２】本発明の分解略図である。
【図３】本発明の動作側視略図である。
【図４】本発明の組立て略図である。
【図５】本発明の実施状態の略図である。
【符号の説明】
【００２１】
１０ 固定手段
１１ 気嚢収容部
１１０ 開放部
１１１ 収容部
１２ 枢接部
１３ 枢軸
１４ 係合部
１５ 締結部
１６ 空洞部
２０ 起動手段
２１ 弾性係合部
２２ 枢接部
３０ 本体
３１ 結合部
３２ 気体導入部
３３ 気口収容部
３４ 調整部
３５ 調整部材
３５０ 調整部
３５１ 締め付け部
３５２ 貫通部
３５３ 調節部
４０ ボンベ
４１ 結合部
４１０ 封止口
５０ 気嚢
５１ 気口
５２ 気体充填袋
６０ 制動装置
６１ 連絡アーム
６２ ガイド軸
６２１ 気密部
６２２ 導入部
６２３ ピン
７０ ベルトユニット
７１ バックル
７１０ 分割棒
７１１ 固定部
７２ 結合部
７３ ガード部材
８０ 表示体
８１ 複合蓋
８１０ 収容部
８１１ 結合部
【図１】
2006347435.tif 000003
【図２】
2006347435.tif 000004
【図３】
2006347435.tif 000005
【図４】
2006347435.tif 000006
【図５】
2006347435.tif 000007